【手続補正書】
【提出日】平成29年8月15日(2017.8.15)
【手続補正１】
【補正対象書類名】特許請求の範囲
【補正対象項目名】全文
【補正方法】変更
【補正の内容】
【特許請求の範囲】
【請求項１】
複数の撮影装置と、前記撮影装置により撮影された撮影画像の装置間での共有を管理するサーバ装置とを備えた画像共有システムであって、
前記サーバ装置は、
共有の登録者の撮影装置からイベント情報を受信する受信手段と、
前記受信手段が受信した前記イベント情報に基づいて、共有相手の撮影装置を特定する共有相手特定手段と、
前記登録者の前記撮影装置と、前記共有相手の前記撮影装置とを共有者とし、前記共有者の撮影装置を示す共有情報を作成する作成手段と、
前記共有情報を前記共有者の撮影装置に送信する送信手段と
を有し、
前記撮影装置は、
前記共有情報を受信する受信手段と、
自装置において撮影された撮影画像のうち、前記イベント情報に関連付けられている画像集合を、前記共有情報に示される、自装置以外の撮影装置からアクセス可能に設定する設定手段と
を有することを特徴とする画像共有システム。
【請求項２】
前記共有相手特定手段は、前記受信手段が受信した前記イベント情報と、前記登録者の撮影装置以外の他の撮影装置に対応付けて記憶されているイベント情報とに基づいて、共有相手の撮影装置を特定することを特徴とする請求項１に記載の画像共有システム。
【請求項３】
前記イベント情報は、イベントの開催される場所及び日時を示す情報を含み、
前記サーバ装置の前記共有相手特定手段は、前記受信手段が受信した前記イベント情報に含まれる前記場所及び前記日時との差異が予め設定された閾値以内の前記場所及び前記日時を含む前記イベント情報に対応付けられている前記撮影装置を前記共有相手として特定することを特徴とする請求項２に記載の画像共有システム。
【請求項４】
前記サーバ装置の前記受信手段は、前記登録者の前記撮影装置から、前記他の撮影装置のユーザの画像特徴量をさらに受信し、
前記サーバ装置の前記共有相手特定手段は、さらに前記画像特徴量に基づいて、前記共有相手の前記撮影装置を特定することを特徴とする請求項２又は３に記載の画像共有システム。
【請求項５】
前記サーバ装置の前記受信手段は、前記共有者の前記撮影装置から、前記共有者以外の前記撮影装置のユーザの画像特徴量をさらに受信し、
前記サーバ装置の前記作成手段は、前記共有者以外の前記撮影装置をさらに共有者とし、前記共有情報を作成することを特徴とする請求項４に記載の画像共有システム。
【請求項６】
前記サーバ装置の前記共有相手特定手段は、前記撮影装置の装置識別情報と、前記イベント情報と、前記撮影装置のユーザの画像特徴量と、を対応付けて記憶する管理テーブルを参照して、前記共有相手の前記撮影装置を特定することを特徴とする請求項４又は５に記載の画像共有システム。
【請求項７】
前記サーバ装置の前記受信手段は、前記撮影装置から前記装置識別情報と、イベント情報と、を対応付けて受信し、
前記サーバ装置は、
前記受信手段が受信した前記装置識別情報と、前記イベントと、を対応付けて、前記管理テーブルに登録する登録手段をさらに有することを特徴とする請求項６に記載の画像共有システム。
【請求項８】
前記サーバ装置の前記受信手段は、前記撮影装置から前記装置識別情報と、ユーザの前記画像特徴量と、を対応付けて受信し、
前記サーバ装置は、
前記受信手段が受信した前記装置識別情報と、前記画像特徴量と、を対応付けて、前記管理テーブルに登録する登録手段をさらに有することを特徴とする請求項６に記載の画像共有システム。
【請求項９】
前記撮影装置は、
撮影手段を制御し、撮影画像を得る撮影制御手段と、
ユーザからの指示に従い、イベント情報を設定する設定手段と、
前記イベント情報が設定されているときに前記撮影手段により得られた前記撮影画像を前記イベント情報に対応付けて前記管理テーブルに保存する撮影画像管理手段と
をさらに有することを特徴とする請求項６乃至８の何れか１項に記載の画像共有システム。
【請求項１０】
前記撮影装置の前記撮影制御手段は、前記撮影手段を制御し、イベントの開催中に前記共有相手の撮影画像を取得し、
前記撮影装置は、
前記共有相手の前記撮影画像から画像特徴量を抽出する抽出手段と、
前記サーバ装置に前記共有相手の前記画像特徴量を送信する送信手段と
をさらに有することを特徴とする請求項９に記載の画像共有システム。
【請求項１１】
前記サーバ装置の前記送信手段は、前記共有相手の撮影装置に画像共有の確認要求を送信し、前記サーバ装置の前記受信手段が前記確認要求に対応して、画像共有の承認情報を前記共有相手の前記撮影装置から受信した場合に、前記共有情報を送信することを特徴とする請求項１乃至１０の何れか１項に記載の画像共有システム。
【請求項１２】
複数の撮影装置により撮影された撮影画像の装置間での共有を管理する共有管理装置であって、
共有の登録者の撮影装置からイベント情報を受信する受信手段と、
前記受信手段が受信した前記イベント情報に基づいて、共有相手の撮影装置を特定する共有相手特定手段と、
前記登録者の前記撮影装置と、前記共有相手の前記撮影装置とを共有者とし、前記共有者の撮影装置を示す共有情報を作成する作成手段と、
前記共有情報を前記共有者の撮影装置に送信する送信手段と
を有することを特徴とする共有管理装置。
【請求項１３】
複数の撮影装置と、前記撮影装置により撮影された撮影画像の装置間での共有を管理するサーバ装置とを備えた画像共有システムが実行する画像共有方法であって、
前記サーバ装置が、共有の登録者の撮影装置からイベント情報を受信する受信ステップと、
前記サーバ装置が、前記受信ステップにおいて受信した前記イベント情報に基づいて、共有相手の撮影装置を特定する共有相手特定ステップと、
前記登録者の前記撮影装置と、前記共有相手の前記撮影装置とを共有者とし、前記共有者の撮影装置を示す共有情報を作成する作成ステップと、
前記サーバ装置が、前記共有情報を前記共有者の撮影装置に送信する送信ステップと、
前記撮影装置が、前記共有情報を受信する受信ステップと、
前記撮影装置が、自装置において撮影された撮影画像のうち、前記イベント情報に関連付けられている画像集合を、前記共有情報に示される、自装置以外の撮影装置からアクセス可能に設定する設定ステップと
を含むことを特徴とする画像共有方法。
【請求項１４】
複数の撮影装置により撮影された撮影画像の装置間での共有を管理する共有管理装置が実行する画像共有方法であって、
共有の登録者の撮影装置からイベント情報を受信する受信ステップと、
前記受信ステップにおいて受信した前記イベント情報に基づいて、共有相手の撮影装置を特定する共有相手特定ステップと、
前記登録者の前記撮影装置と、前記共有相手の前記撮影装置とを共有者とし、前記共有者の撮影装置を示す共有情報を作成する作成ステップと、
前記共有情報を前記共有者の撮影装置に送信する送信ステップと
を含むことを特徴とする画像共有方法。
【請求項１５】
コンピュータを、
共有の登録者の撮影装置からイベント情報を受信する受信手段と、
前記受信手段が受信した前記イベント情報に基づいて、共有相手の撮影装置を特定する共有相手特定手段と、
前記登録者の前記撮影装置と、前記共有相手の前記撮影装置とを共有者とし、前記共有者の撮影装置を示す共有情報を作成する作成手段と、
前記共有情報を前記共有者の撮影装置に送信する送信手段と
して機能させるためのプログラム。
【手続補正２】
【補正対象書類名】明細書
【補正対象項目名】０００９
【補正方法】変更
【補正の内容】
【０００９】
そこで、本発明は、複数の撮影装置と、前記撮影装置により撮影された撮影画像の装置間での共有を管理するサーバ装置とを備えた画像共有システムであって、前記サーバ装置は、共有の登録者の撮影装置からイベント情報を受信する受信手段と、前記受信手段が受信した前記イベント情報に基づいて、共有相手の撮影装置を特定する共有相手特定手段と、前記登録者の前記撮影装置と、前記共有相手の前記撮影装置とを共有者とし、前記共有者の撮影装置を示す共有情報を作成する作成手段と、前記共有情報を前記共有者の撮影装置に送信する送信手段とを有し、前記撮影装置は、前記共有情報を受信する受信手段と、自装置において撮影された撮影画像のうち、前記イベント情報に関連付けられている画像集合を、前記共有情報に示される、自装置以外の撮影装置からアクセス可能に設定する設定手段とを有することを特徴とする。